(57)【特許請求の範囲】
【請求項１】
軟材質の合成樹脂で成形されたブラシ台と、硬質の合成樹脂で成形された柄とを組立分離自在としたブラシであって、
ブラシ台は、下面にブラシ歯を立設し、上面に柄取付のための取付段部を設け、該取付段部の両側には、底面に沿って凹溝が削設され、該凹溝によって、水平の底面と、該底面の端部から垂直に立ち上がる側壁と、該側壁から内側に水平に延びる上面とから構成される断面コの字状の取付段部の側部が形成されており、該取付段部の側部間の巾は内端縁に近づくにしたがって細巾となっており、取付段部の底面には、係合突起が突出するよう配設されており、
柄の取付板の先端部分には、両側縁から一定の間隔をおいてスリットを削設して突出片を形成し、該突出片の外側部に、前記凹溝に係合し一定の締め代をもって嵌合される凸条を設け、
取付板の底面には、前記係合突起に係合する凹部が設けられていることを特徴とするブラシ。
【発明の詳細な説明】
【０００１】
【発明の属する技術分野】
本発明は、柄付ブラシに関する。
【０００２】
【従来の技術】
ブラシ台と柄とを着脱自在とし、不使用時に分離して収納するようにした柄付ブラシは、従来より周知である。
その一例として、図４に示すように、柄付ブラシが従来より知られている。
図４において、ａはブラシ台、ｂはブラシ台に着脱自在に取り付けられた柄である。
ブラシ台ａの取付段部ｃには、アリ溝ｄを削設し、柄ｂの取付板ｅの両側には、アリ溝ｄに嵌合する三角状の突条ｆを形成し、ブラシ台ａの取付段部ｃに柄ｂの取付板ｅを差し込むようにして両者を結合していた。
【０００３】
【発明が解決しようとする課題】
しかしながら、ブラシの使用時には、ブラシ台ａと柄ｂとの間に、ねじりモーメントが働き、嵌合が斜面の接合によるため、ときには柄ｂの取付板ｅが外れるということが起こり、結合が安定しないという問題があった。
また、従来、ブラシ台ａと柄ｂは、同材質で、ポリプロピレンのような硬質の合成樹脂で成形されていた。
そのため、嵌合にあたって、両者の間の締め代を多くとることができないという問題があった。
【０００４】
本発明は、上記の問題点を解決することを課題とし、ねじりモーメントに対する抗力を大きくし、ブラシ台と柄が簡単に外れないようにしたブラシを提供することを目的とする。
【０００５】
【課題を解決するための手段】
本発明は、上記の課題を解決するため、ブラシとして、軟材質の合成樹脂で成形されたブラシ台と、硬質の合成樹脂で成形された柄とを組立分離自在としたブラシであって、ブラシ台は、下面にブラシ歯を立設し、上面に柄取付のための取付段部を設け、該取付段部の両側には、底面に沿って凹溝が削設され、該凹溝によって、水平の底面と、該底面の端部から垂直に立ち上がる側壁と、該側壁から内側に水平に延びる上面とから構成される断面コの字状の取付段部の側部が形成されており、該取付段部の側部間の巾は内端縁に近づくにしたがって細巾となっており、取付段部の底面には、係合突起が突出するよう配設されており、柄の取付板の先端部分には、両側縁から一定の間隔をおいてスリットを削設して突出片を形成し、該突出片の外側部に、前記凹溝に係合し一定の締め代をもって嵌合される凸条を設け、取付板の底面には、前記係合突起に係合する凹部が設けられていることを特徴とする構成を採用する。
【０００６】
【発明の実施の形態】
次に、本発明の実施形態について、図面を参照して説明する。
図１において、Ａはブラシ台で、低密度ポリエチレン、線状低密度ポリエチレン、その他軟質の合成樹脂で形成され、Ｂは柄で、ポリプロピレン、その他硬質の合成樹脂で成形されている。
【０００７】
図２に示すように、ブラシ台Ａは、その下面１には多数のブラシ歯２が立設されており、上面３には、柄Ｂを取付ける長方形の取付段部４が形成されている。
取付段部４の両側縁には、取付段部４底面から水平方向に延びる凹溝５ａ，５ｂが削設され、凹溝５ａ，５ｂの溝底間の巾は内端縁６に近づくにしたがって細巾となっており、取付段部４の内端縁６近くには、係合突起７が突設されている。
【０００８】
図３に示すように、柄Ｂは、ブラシ台Ａに結合する取付板１０と把手１１とからなっている。
取付板１０は、ブラシ台Ａの取付段部４の深さにほぼ等しい厚さの長方形の板状体で、両側縁には、下面に沿ってブラシ台Ａの凹溝５ａ，５ｂに嵌合する凸条１２ａ，１２ｂが形成されている。
取付板１０の先端には、両側縁から一定の間隔をおいて、スリット１３が削設され、左右の突出片１４ａ，１４ｂと中央の舌片１５が形成されており、中央の舌片１５の下面には、ブラシ台Ａの取付段部４に設けられた係合突起７に係合する凹部１６が凹設されている。
【０００９】
把手１１は、取付板１０の中央から後端にかけ、立設された板体１７ａ，ｂ，ｃ，ｄからなる根本部１８と表面に複数個の凹部２０を設けた握り部１９とからなっている。
【００１０】
次に、ブラシの組立とその際の作用効果について説明する。
ブラシ台Ａと柄Ｂは、二体として収納ケースに収納され、使用にあたって組立られる。
組立にあたっては、柄Ｂの取付板１０をブラシ台Ａの取付段部４に、取付板１０の凸条１２ａ，１２ｂが取付段部４の凹溝５ａ，５ｂに嵌合するように押し込み、先端まで押し込むと、ブラシを組立ることができる。
【００１１】
その際、ブラシ台Ａの凹溝５ａ，５ｂ間の巾が内端にいくほど細くなっているので、取付段部４と取付板１０との間での締め代が大きくなるとともに、両端縁の突出片１４ａ，１４ｂが内方に偏寄され、強く嵌合されることになる。
次いで、柄Ｂの取付板１０が取付段部４の先端に達すると、取付板１０の凹部１６が取付段部４の係合突起７に係合し、ブラシ台Ａと柄Ｂは強く結合される。
【００１２】
前記実施形態では、ブラシとして、ブラシ台と同じ合成樹脂を用いてブラシ歯を一体成形により立設するようにしているが、毛、毛集束体等をブラシ台に植立てしてもよく、合成樹脂製のブラシ歯に限定されない。
【００１３】
【発明の効果】
本発明は、上記のように構成されているから、次の効果を奏する。
結合にあたって、ブラシ台は低密度ポリエチレン等柔軟な合成樹脂で成形され、柄はポリプロピレン等比較的硬質の合成樹脂であるので、締め代を大きくとることができ、また、凸条と凹溝を嵌合させることで、ねじりモーメントを直角な面で受けるようにしているので、反力を大きくすることができ、使用中に、両者が外れるようなことはない。
【図面の簡単な説明】
【図１】本発明ブラシの外観図である。
【図２】ブラシ台の説明図で、（ａ）は平面図、（ｂ）は一部断面正面図、（ｃ）は左側面図である。
【図３】柄の説明図で、（ａ）は正面図、（ｂ）は平面図、（ｃ）は右側面図である。
【図４】従来技術の説明図で、（ａ）は正面図、（ｂ）は図（ａ）のＡ−Ａ線における断面図である。
【符号の説明】
Ａ、ａ        ブラシ台
Ｂ、ｂ        柄
ｄ            アリ溝
ｆ            突条
１            下面
２            ブラシ歯
３            上面
４、ｃ        取付段部
５ａ，ｂ      凹溝
６            内端縁
７            係合突起
１０、ｅ      取付板
１１          把手
１２ａ，ｂ    凸条
１３          スリット
１４ａ，ｂ    突出片
１５          舌片
１６          凹部
１７ａ，ｂ，ｃ，ｄ    板体
１８          根本部
１９          握り部
【図１】
0003883786.tif 000002
【図２】
0003883786.tif 000003
【図３】
0003883786.tif 000004
【図４】
0003883786.tif 000005